(57)【特許請求の範囲】
【請求項１】
一方向に走行するシートに貼付される片面に粘着剤が塗布されたテープを引き出し供給するリールと、走行するシートと上方から転接するように進退するタッチロールとを備え、前記テープの先端を短冊状のリード片の後側へ取り付けてリード片を保持し、テープの貼付開始時に前記タッチロールをシートに転接させて、前記保持したリード片をタッチロールの下側でシートに押し付けてシートとともに走行させ、前記リード片に後続するテープを、前記タッチロールで走行するシートに押圧して貼付するテープの貼付装置において、前記保持したリード片を、前記テープの貼付開始時にシートに転接されるタッチロールの下側へ、助走させて送り込む助走送り込み手段を設け、前記助走送り込み手段が、垂直面内の巻回経路で駆動されるタイミングベルトの下降側経路の下部に、前記タッチロールの入口側へ斜めに下降する傾斜下降経路を設け、このタイミングベルトに、前記リード片の前端側をタイミングベルトの進行方向に向けて保持する保持具を取り付けて、この保持具が前記下降側経路の上部に来る待機位置でタイミングベルトを停止させ、前記テープの貼付開始時に前記タイミングベルトを駆動して、前記保持具に保持したリード片を、前記タッチロールの下側へ助走させて送り込むものであるテープの貼付装置。
【発明の詳細な説明】
【技術分野】
【０００１】
本発明は、段ボールシート等の走行シートにテープを連続的に貼付するテープの貼付装置に関するものである。
【背景技術】
【０００２】
段ボールシート等のシートで形成した箱には、その内周面を一回りするテープが貼付されることがある。このテープは、刃物を使用することなく箱の上部を切断除去して開口するカットテープや、箱側面の手提げ用孔を補強する補強用テープとして貼付されている。これらのテープは、片面に粘着剤が塗布されたものが用いられ、段ボールシート等のシートを連続して形成する際に、シートの移送ライン上に配置したテープの貼付装置により、シートの片面に連続して貼付されている。
【０００３】
前記テープの貼付装置は、テープを引き出し供給するリールと、一方向に走行するシートと上方から転接するように進退するタッチロールとを備え、シートに転接させるタッチロールによって、リールから引き出されるテープを走行するシートに押圧して貼付するものである（例えば、特許文献１参照）。特許文献１に記載されたものは、従動回転するリールから引き出されるテープが弛まないように、リールにブレーキが設けられている。ブレーキを兼ねて、リールを回転駆動させる手段を設けたものもある。
【０００４】
このようなテープの貼付装置には、柔軟で剛性のないテープの先端を安定してシートに貼着するために、テープの先端を厚紙等で形成した短冊状のリード片の後側へ取り付け、このリード片を走行するシートと上方から転接するタッチロールの下側でシートに押し付けて、シートとの摩擦によってシートとともに走行させ、リード片に後続するテープを走行するシートにタッチロールで押圧して貼付するようにしたものがある（例えば、特許文献２参照）。
【０００５】
特許文献２に記載されたものでは、リード片の中央部を真空吸引により持ち上げるとともに、シートの走行方向に直列に配置した２本のタッチロールの下に前後端を当てて保持し、２本のタッチロールを走行するシートに向かって急激に押し付けるとともに、真空吸引を解除して、シートとともに走行させるようにしている。
【０００６】
【特許文献１】特公平６−７１９７４号公報
【特許文献２】特開２０００−１９８１５０号公報
【発明の開示】
【発明が解決しようとする課題】
【０００７】
特許文献２に記載されたテープの貼付装置は、タッチロールの下に真空吸引で保持したリード片を、タッチロールによって高速で走行するシートに急激に押し付けるようにしているので、保持されて停止していたリード片がシートと一緒に急激に走り出し、テープの貼付開始時に、リード片に後続するテープに瞬間的に過大な張力が発生する。すなわち、リールの慣性力とブレーキのために、リールからのテープの引き出し速度は、直ぐにはシートの走行速度に合致しないので、リールとタッチロールの間のテープに過大な張力が発生する。このため、テープが切断したり、シートに貼付されたテープの先端が外れたりする問題がある。
【０００８】
そこで、本発明の課題は、テープの貼付開始時に、テープに過大な張力が発生しないようにすることである。
【課題を解決するための手段】
【０００９】
上記の課題を解決するために、本発明は、一方向に走行するシートに貼付される片面に粘着剤が塗布されたテープを引き出し供給するリールと、走行するシートと上方から転接するように進退するタッチロールとを備え、前記テープの先端を短冊状のリード片の後側へ取り付けてリード片を保持し、テープの貼付開始時に前記タッチロールをシートに転接させて、前記保持したリード片をタッチロールの下側でシートに押し付けてシートとともに走行させ、前記リード片に後続するテープを、前記タッチロールで走行するシートに押圧して貼付するテープの貼付装置において、前記保持したリード片を、前記テープの貼付開始時にシートに転接されるタッチロールの下側へ、助走させて送り込む助走送り込み手段を設けた構成を採用した。
【００１０】
すなわち、保持したリード片を、テープの貼付開始時にシートに転接されるタッチロールの下側へ、助走させて送り込む助走送り込み手段を設けることにより、リード片とリード片に後続するテープの送り込み速度をシートの走行速度に近づけ、テープの貼付開始時に、テープに過大な張力が発生しないようにした。
【００１１】
前記助走送り込み手段を、垂直面内の巻回経路で駆動されるタイミングベルトの下降側経路の下部に、前記タッチロールの入口側へ斜めに下降する傾斜下降経路を設け、このタイミングベルトに、前記リード片の前端側をタイミングベルトの進行方向に向けて保持する保持具を取り付けて、この保持具が前記下降側経路の上部に来る待機位置でタイミングベルトを停止させ、前記テープの貼付開始時に前記タイミングベルトを駆動して、前記保持具に保持したリード片を、前記タッチロールの下側へ助走させて送り込むものとすることにより、リード片を安定した所望の助走速度でスムーズにタッチロールの下側へ送り込むことができる。
【発明の効果】
【００１２】
本発明のテープの貼付装置は、保持したリード片を、テープの貼付開始時にシートに転接されるタッチロールの下側へ、助走させて送り込む助走送り込み手段を設けたので、テープの貼付開始時に、テープに過大な張力が発生することがなく、テープの切断や、シートに貼付されたテープの先端の外れを防止することができる。
【００１３】
前記助走送り込み手段を、垂直面内の巻回経路で駆動されるタイミングベルトの下降側経路の下部に、タッチロールの入口側へ斜めに下降する傾斜下降経路を設け、このタイミングベルトに、リード片の前端側をタイミングベルトの進行方向に向けて保持する保持具を取り付けて、この保持具が下降側経路の上部に来る待機位置でタイミングベルトを停止させ、テープの貼付開始時にタイミングベルトを駆動して、保持具に保持したリード片を、タッチロールの下側へ助走させて送り込むものとすることにより、リード片を安定した所望の助走速度でスムーズにタッチロールの下側へ送り込むことができる。
【発明を実施するための最良の形態】
【００１４】
以下、図面に基づき、本発明の実施形態を説明する。このテープの貼付装置は、図１に示すように、一方向に走行するシートＡに貼付するテープＢを引き出し供給するリール１、およびリール１を回転駆動するリール駆動装置２を備えた上部ユニットと、シートＡと上方から転接するようにシリンダ３によって上下方向に進退され、従動回転するタッチロール４、後述するリード片Ｃの助走送り込み手段としての、リード片Ｃの保持具５が取り付けられ、駆動ロール６ａで巻回駆動されるタイミングベルト７、およびテープＢの尾端を切断するカッタ８を備えた下部ユニットとで基本的に構成されており、リール駆動装置２、タッチロール４のシリンダ３、およびタイミングベルト７の駆動ロール６ａが、ラインコンピュータとシートＡの走行速度を検出する速度センサ９に接続されたコントローラ１０によって作動されるようになっている。
【００１５】
前記リール１は切り替え用として上下に２つ設けられ、図１では、上側のリール１にセットされたテープＢの先端が、張力変動を吸収するダンサロール１１、およびガイドロール１２を介して引き出され、後述するように、リード片Ｃの後側へ取り付けられる。リール１に巻き付けられたテープＢの内側面には粘着剤が塗布されている。
【００１６】
前記リール駆動装置２は、リール１に巻き付けられたテープＢの外周に転接される一対の駆動ロール１３をモータ１４でベルト駆動するものであり、水平ガイドレール１５に沿ってシリンダ１６で進退可能とされるとともに、垂直ガイドレール１７に沿ってシリンダ１８で昇降可能とされている。図１では、使用される上側のリール１の中心に合わせて昇降位置が位置決めされ、一対の駆動ロール１３がシリンダ１６によって、上側のリール１にセットされたテープＢの外周に押し付けられている。
【００１７】
図２に示すように、前記リード片Ｃは短冊状の剛性を有する段ボール片で形成されており、テープＢの先端部が粘着剤を塗布された面をリード片Ｃに粘着されて、短冊状の中央部で前後方向に１巻きされ、リード片Ｃの後側へ延びるように取り付けられている。また、リード片Ｃの片面側には、後述するように、リード片Ｃを走行するシートＡに転着するための両面接着テープＤが貼付されている。
【００１８】
図３（ａ）に示すように、前記タイミングベルト７は、駆動ロール６ａと２本の従動ロール６ｂに垂直面内で巻回され、その巻回経路の上昇側経路７ａは斜めに上昇し、下降側経路は、垂直に下降する上部の垂直下降経路７ｂと、シートＡの走行方向下流側に設けたタッチロール４の入口側へ斜めに下降する下部の傾斜下降経路７ｃとからなる。タイミングベルト７には、リード片Ｃを保持する保持具５が取り付けられ、保持具５が垂直下降経路７ｂの上部に来る待機位置で停止した状態で、後側にテープＢの先端を取り付けられた短冊状のリード片Ｃの後端側が保持具５に垂下されるように保持される。
【００１９】
図４に示すように、前記保持具５はタイミングベルト７の側方へ張り出すように取り付けられ、この張り出し部５ａがコ字断面とされて、このコ字断面の張り出し部５ａに、リード片Ｃの後端部が差し込まれて保持され、その前端側がタイミングベルト７の垂直下降経路７ｂでの進行方向となる下方に向けられて、両面接着テープＤを貼付された面がタイミングベルト７の外側へ向くようになっている。張り出し部５ａには、リード片Ｃの後側に取り付けられたテープＢを通す切欠き５ｂが設けられている。また、タイミングベルト７には、保持具５の下方でリード片Ｃの背面側へ張り出す棒状の背当て部材５ｃも取り付けられ、リード片Ｃがタイミングベルト７の巻回経路の内側へ傾くのを防止するようになっている。
【００２０】
図３（ｂ）に示すように、テープＢの貼付開始時に、タッチロール４が下方へ前進駆動されてシートＡに転接され、タイミングベルト７が起動されると、垂直下降経路７ｂの上部の待機位置で保持具５に保持されていたリード片Ｃは、垂直下降経路７ｂと傾斜下降経路７ｃで、シートＡの走行速度とほぼ同じ速度まで加速されるように助走し、前端側を傾斜下降経路７ｃのシートＡの走行方向下流側へ向かう進行方向に沿う斜め下方へ向けて、スムーズにタッチロール４の下側へ送り込まれる。後端側を保持されたリード片Ｃの前端側は、その慣性重量によって、傾斜下降経路７ｃの進行方向よりも下向きになる。
【００２１】
図３（ｃ）に示すように、前記タッチロール４の下側へ送り込まれたリード片Ｃは、保持具５から前方へ抜き取られて、両面接着テープＤでシートＡの表面に転着され、シートＡとともに走行する。したがって、リード片Ｃに後続するテープＢが、タッチロール４で押圧されてシートＡに貼付される。また、リード片Ｃを抜き取られた保持具５は上昇側経路７ａの上部で停止し、次の使用時に、図３（ａ）に示した垂直下降経路７ｂの上部の待機位置に移動させられる。
【００２２】
図５は、前記コントローラ１０によるテープＢの貼付開始時の制御フローチャートを示す。コントローラ１０は、まず、速度センサ９の出力に基づいて、リール駆動装置２とタイミングベルト７の駆動速度を、シートＡの走行速度よりもわずかに低い値に設定し、ラインコンピュータからテープＢの貼付指令が入力されると、タッチロール４の作動信号を出力するとともに、リード片Ｃの待機位置からテープ貼付開始位置までの移動時間を見込んで、リール駆動装置２とタイミングベルト７の起動信号を並列に出力し、タッチロール４のシリンダ３を作動したのち、リール駆動装置２の駆動ロール１３とタイミングベルト７の駆動ロール６ａを設定された速度で回転駆動する。
【００２３】
なお、前記タッチロール４がシートＡに転接されて、タイミングベルト７の保持具５に保持されたリード片Ｃがタッチロール４の下側に送り込まれると、コントローラ１０は、保持具５が上昇側経路７ａの上部に来る位置でタイミングベルト７の駆動を停止し、さらに、リード片Ｃに後続するテープＢの先端部がシートＡに貼着されると、リール駆動装置２の制御を、上述したシートＡの走行速度に基づく速度制御から、ダンサロール１１の動きに基づいてテープＢの張力を調節する張力制御に切り替える。
【図面の簡単な説明】
【００２４】
【図１】テープの貼付装置の実施形態を示す切欠き正面図
【図２】テープの先端に取り付けられるリード片を示す斜視図
【図３】ａ、ｂ、ｃは、それぞれ図１の助走送り込み手段としてのタイミングベルトの作動を説明する正面図
【図４】図３の保持具にリード片を保持した状態を示す斜視図
【図５】図１のテープの貼付装置の制御フローチャート
【符号の説明】
【００２５】
Ａ  シート
Ｂ  テープ
Ｃ  リード片
Ｄ  両面接着テープ
１  リール
２  リール駆動装置
３  シリンダ
４  タッチロール
５  保持具
５ａ  張り出し部
５ｂ  切欠き
５ｃ  背当て部材
６ａ  駆動ロール
６ｂ  従動ロール
７  タイミングベルト
７ａ  上昇側経路
７ｂ  垂直下降経路
７ｃ  傾斜下降経路
８  カッタ
９  速度センサ
１０  コントローラ
１１  ダンサロール
１２  ガイドロール
１３  駆動ロール
１４  モータ
１５  ガイドレール
１６  シリンダ
１７  ガイドレール
【図１】
0005053817.tif 000002
【図２】
0005053817.tif 000003
【図３】
0005053817.tif 000004
【図４】
0005053817.tif 000005
【図５】
0005053817.tif 000006